(57)【要約】【課題】  ユーザの安全確保が図られた原稿読取装置を提供する。【解決手段】  載置台に載置された原稿を１枚ずつ送り出し、所定の搬送路に沿って搬送する自動原稿搬送器を備えた開閉自在な上蓋と、上蓋により覆われる、自動原稿搬送器によって搬送されてきた原稿と対向する位置に備えられたコンタクトガラスと、コンタクトガラス下方から、コンタクトガラスを経由して、コンタクトガラス上方の読取位置を通過する原稿の読取位置を通過する領域に光を照射して反射光を受光することにより、原稿上の画像を読み取る画像読取器とを備え、自動原稿搬送器は、載置台から送り出した原稿を、読取位置ではコンタクトガラスとは非接触であって、コンタクトガラス上の、読取位置を避けた所定の接触位置に接触させながら前記回収台に向けて搬送するものである。【選択図】        図３
2007306503.tif 000002
【特許請求の範囲】
【請求項１】
画像が記録された原稿を載置する載置台と、該載置台に載置された原稿を１枚ずつ送り出し、所定の搬送路に沿って自動搬送する搬送部と、該搬送部によって搬送された原稿を回収する回収台とを有する自動原稿搬送器を備えた開閉自在な上蓋と、
前記上蓋により覆われる、前記自動原稿搬送器によって搬送されてきた原稿と対向する位置に備えられたコンタクトガラスと、
前記コンタクトガラス下方から、該コンタクトガラスを経由して、該コンタクトガラス上方の読取位置を通過する原稿の該読取位置を通過する領域に光を照射して反射光を受光することにより、該原稿上の画像を読み取る画像読取器とを備え、
前記自動原稿搬送器は、前記載置台から送り出した原稿を、前記読取位置では前記コンタクトガラスとは非接触であって、該コンタクトガラス上の、該読取位置を避けた所定の接触位置に接触させながら前記回収台に向けて搬送するものであることを特徴とする原稿読取装置。
【請求項２】
画像が記録された原稿を載置する載置台と、該載置台に載置された原稿を１枚ずつ送り出し、所定の搬送路に沿って自動搬送する搬送部と、該搬送部によって搬送された原稿を回収する回収台とを有する自動原稿搬送器を備えた開閉自在な上蓋と、
前記上蓋により覆われる、前記自動原稿搬送器によって搬送されてきた原稿と対向する位置に備えられたコンタクトガラスと、
前記コンタクトガラス下方から、該コンタクトガラスを経由して、該コンタクトガラス上方の読取位置を通過する原稿の該読取位置を通過する領域に光を照射して反射光を受光することにより、該原稿上の画像を読み取る画像読取器と、
前記コンタクトガラス上の、前記読取位置を避けた所定位置に固定された、コンタクトガラスの熱を放熱する放熱部材とを備え、
前記自動原稿搬送器は、前記載置台から送り出した原稿を、前記読取位置では前記コンタクトガラスとは非接触であって、該コンタクトガラスの上面に固定された前記放熱部材に接触させながら前記回収台に向けて搬送するものであることを特徴とする原稿読取装置。
【請求項３】
前記放熱部材が、前記コンタクトガラス上の、前記読取位置よりも前記自動原稿搬送器による原稿の搬送方向上流側の位置に固定されたものであって、該読取位置に向けて上向きのスロープを有するものであることを特徴とする請求項２記載の原稿読取装置。
【請求項４】
画像が記録された原稿を載置する載置台と、該載置台に載置された原稿を１枚ずつ、該載置台に置かれた原稿がなくなるまで順次に送り出して自動搬送する搬送部と、該搬送部によって搬送された原稿を回収する回収台とを有する自動原稿搬送器を備えた開閉自在な上蓋と、
前記上蓋により覆われる、前記自動原稿搬送器によって搬送されてきた原稿と対向する位置に備えられたコンタクトガラスと、
前記コンタクトガラス下方から、該コンタクトガラスを経由して、該コンタクトガラス上方の読取位置を通過する原稿の該読取位置を通過する領域に光を照射して反射光を受光することにより、該原稿上の画像を読み取る画像読取器と、
前記載置台から前記搬送部によって送り出され所定の搬送路に沿って搬送されて前記画像読取器によって該原稿上の画像が読み取られた後の原稿を、該原稿の表裏面を反転させて前記読取位置を通過させる反転搬送部と、
前記搬送台上の原稿のうちの最後の原稿が送り出されたことを検出するセンサとを備え、
前記搬送部および前記反転搬送部は、前記読取位置に向けて搬送してきた原稿を、該読取位置では前記コンタクトガラスとは非接触であって、該コンタクトガラス上の、該読取位置を避けた所定の接触位置に接触させながら該読取位置を通過させるものであって、
前記反転搬送部が、前記載置台から送り出されてきた最後の原稿について、前記読取位置を、該載置台から、該最後の原稿よりも以前に送り出された原稿１枚当たりの、前記読取位置の通過回数よりも多数回通過させてから前記回収台に向けて搬送するものであることを特徴とする原稿読取装置。
【請求項５】
画像が記録された原稿を載置する載置台と、該載置台に載置された原稿を１枚ずつ、該載置台に置かれた原稿がなくなるまで順次に送り出して自動搬送する搬送部と、該搬送部によって搬送された原稿を回収する回収台とを有する自動原稿搬送器を備えた開閉自在な上蓋と、
前記上蓋により覆われる、前記自動原稿搬送器によって搬送されてきた原稿と対向する位置に備えられたコンタクトガラスと、
前記コンタクトガラス下方から、該コンタクトガラスを経由して、該コンタクトガラス上方の読取位置を通過する原稿の該読取位置を通過する領域に光を照射して反射光を受光することにより、該原稿上の画像を読み取る画像読取器と、
前記コンタクトガラス上の、前記読取位置を避けた所定位置に固定された、コンタクトガラスの熱を放熱する放熱部材と、
前記載置台から前記搬送部によって送り出され所定の搬送路に沿って搬送されて前記画像読取器によって該原稿の画像が読み取られた後の原稿を、該原稿の表裏面を反転させて前記読取位置を通過させる反転搬送部と、
前記搬送台上の原稿のうちの最後の原稿が送り出されたことを検出するセンサとを備え、
前記搬送部および前記反転搬送部は、前記読取位置に向けて搬送してきた原稿を、該読取位置では前記コンタクトガラスとは非接触であって、該コンタクトガラス上に固定された前記放熱部材に接触させながら該読取位置を通過させるものであって、
前記反転搬送部が、前記載置台から送り出されてきた最後の原稿について、前記読取位置を、該載置台から、該最後の原稿よりも以前に送り出された原稿１枚当たりの、前記読取位置の通過回数よりも多数回通過させてから前記回収台に向けて搬送するものであることを特徴とする原稿読取装置。
【発明の詳細な説明】
【技術分野】
【０００１】
本発明は、原稿上に記録された画像を読み取る原稿読取装置に関する。
【背景技術】
【０００２】
従来より、原稿上に記録された画像を読み取るための原稿読取装置が知られている。
【０００３】
原稿読取装置では、プラテンガラスと呼ばれる原稿載置用のガラス板の上に載置された原稿に向けて、露光光源を走査させながら光を照射し、原稿からの反射光を受像センサ上に結像させることで画像信号を得ている。
【０００４】
また、原稿読取装置には、所定のトレイ上に原稿を重ねて載置するだけで、重ねられた原稿から一枚ずつ原稿を送り出して所定の搬送路を搬送する自動原稿搬送器が備えられたものがあり、この自動原稿搬送器を用いた場合の原稿の読取りは、プラテンガラス上に載置された原稿の読取りとは異なり、搬送路を搬送される原稿と対向する位置に配置されたコンタクトガラスの下面側からこのコンタクトガラスの上面側を通過する原稿に向けて、静止した露光光源から露光光をコンタクトガラス越しに照射し、原稿からの反射光を受像センサ上に結像させることで行われている。
【０００５】
ところが、自動原稿搬送器を用いた原稿の読取りにおいては、コンタクトガラスの下面側から上面側を通過する原稿に向けて照射された露光光や原稿からの反射光はコンタクトガラス上の所定部位を通過する。このため、トレイ上に載置された原稿枚数が多い場合には、コンタクトガラスのこの所定部位の温度が過度に上昇し、ユーザが誤ってその部分に触れると火傷を負う危険性がある。
【０００６】
そこで、原稿読取装置に、コンタクトガラスの周囲の空気を積極的に換気するためのファンを備えることで、コンタクトガラスの所定部位の過度の温度上昇を抑える提案がなされている（特許文献１参照。）。
【特許文献１】特開平１１−６９０９１号公報
【発明の開示】
【発明が解決しようとする課題】
【０００７】
しかしながら、上記提案では、ファンの駆動に伴う騒音の発生や、ファンを備えたことによる埃等の装置内への進入による悪影響が懸念される。
【０００８】
本発明は、上記事情に鑑み、ユーザの安全を確保する工夫が図られた原稿読取装置を提供することを目的とする。
【課題を解決するための手段】
【０００９】
上記目的を達成するための本発明の原稿読取装置のうちの第１の原稿読取装置は、
画像が記録された原稿を載置する載置台と、この載置台に載置された原稿を１枚ずつ送り出し、所定の搬送路に沿って自動搬送する搬送部と、この搬送部によって搬送された原稿を回収する回収台とを有する自動原稿搬送器を備えた開閉自在な上蓋と、
上記上蓋により覆われる、上記自動原稿搬送器によって搬送されてきた原稿と対向する位置に備えられたコンタクトガラスと、
上記コンタクトガラス下方から、このコンタクトガラスを経由して、このコンタクトガラス上方の読取位置を通過する原稿のこの読取位置を通過する領域に光を照射して反射光を受光することにより、この原稿上の画像を読み取る画像読取器とを備え、
上記自動原稿搬送器は、上記載置台から送り出した原稿を、上記読取位置では上記コンタクトガラスとは非接触であって、このコンタクトガラス上の、この読取位置を避けた所定の接触位置に接触させながら上記回収台に向けて搬送するものであることを特徴とする。
【００１０】
本発明の第１の原稿読取装置では、コンタクトガラスの熱をコンタクトガラス上の接触位置でコンタクトガラスと接触する原稿に移行させて、コンタクトガラス上の接触位置の温度上昇を抑えることで、コンタクトガラスの温度上昇を全体として抑制する。したがって、本発明の第１の原稿読取装置によれば、火傷からユーザを守ることができる。
【００１１】
上記目的を達成するための本発明の原稿読取装置のうちの第２の原稿読取装置は、
画像が記録された原稿を載置する載置台と、この載置台に載置された原稿を１枚ずつ送り出し、所定の搬送路に沿って自動搬送する搬送部と、この搬送部によって搬送された原稿を回収する回収台とを有する自動原稿搬送器を備えた開閉自在な上蓋と、
上記上蓋により覆われる、上記自動原稿搬送器によって搬送されてきた原稿と対向する位置に備えられたコンタクトガラスと、
上記コンタクトガラス下方から、このコンタクトガラスを経由して、このコンタクトガラス上方の読取位置を通過する原稿のこの読取位置を通過する領域に光を照射して反射光を受光することにより、この原稿上の画像を読み取る画像読取器と、
上記コンタクトガラス上の、上記読取位置を避けた所定位置に固定された、コンタクトガラスの熱を放熱する放熱部材とを備え、
上記自動原稿搬送器は、上記載置台から送り出した原稿を、上記読取位置では上記コンタクトガラスとは非接触であって、このコンタクトガラスの上面に固定された上記放熱部材に接触させながら上記回収台に向けて搬送するものであることを特徴とする。
【００１２】
本発明の第２の原稿読取装置では、画像読取器による原稿の読取りを妨げないようにコンタクトガラスの上面に固定された放熱部材に原稿を接触させることで放熱部材の熱を原稿に移らせている。したがって、本発明の第２の原稿読取装置によれば、コンタクトガラスの温度上昇を抑制して、ユーザの安全を確保することができる。
【００１３】
ここで、上記放熱部材が、上記コンタクトガラス上の、上記読取位置よりも上記自動原稿搬送器による原稿の搬送方向上流側の位置に固定されたものであって、この読取位置に向けて上向きのスロープを有するものであることが好ましい。
【００１４】
放熱部材を、上記コンタクトガラス上の、読取位置よりも自動原稿搬送器による原稿の搬送方向上流側の位置に固定した、読取位置に向けて上向きのスロープを有するものとすると、搬送されてくる原稿を、放熱部材が有するスロープの頂上部分に接触させることで原稿に付いた紙粉等を取り除くこができ、かつ取り除いた紙粉等が読取位置側に落下して原稿の読取りを妨げるという事態の発生を防止することができる。
【００１５】
上記目的を達成するための本発明の原稿読取装置のうちの第３の原稿読取装置は、画像が記録された原稿を載置する載置台と、この載置台に載置された原稿を１枚ずつ、この載置台に置かれた原稿がなくなるまで順次に送り出して自動搬送する搬送部と、この搬送部によって搬送された原稿を回収する回収台とを有する自動原稿搬送器を備えた開閉自在な上蓋と、上記上蓋により覆われる、上記自動原稿搬送器によって搬送されてきた原稿と対向する位置に備えられたコンタクトガラスと、上記コンタクトガラス下方から、このコンタクトガラスを経由して、このコンタクトガラス上方の読取位置を通過する原稿のこの読取位置を通過する領域に光を照射して反射光を受光することにより、この原稿上の画像を読み取る画像読取器と、上記載置台から上記搬送部によって送り出され所定の搬送路に沿って搬送されて上記画像読取器によってこの原稿上の画像が読み取られた後の原稿を、この原稿の表裏面を反転させて上記読取位置を通過させる反転搬送部と、上記搬送台上の原稿のうちの最後の原稿が送り出されたことを検出するセンサとを備え、上記搬送部および上記反転搬送部は、上記読取位置に向けて搬送してきた原稿を、この読取位置では上記コンタクトガラスとは非接触であって、このコンタクトガラス上の、この読取位置を避けた所定の接触位置に接触させながらこの読取位置を通過させるものであって、上記反転搬送部が、上記載置台から送り出されてきた最後の原稿について、上記読取位置を、この載置台から、この最後の原稿よりも以前に送り出された原稿１枚当たりの、上記読取位置の通過回数よりも多数回通過させてから上記回収台に向けて搬送するものであることを特徴とする。また、上記目的を達成するための本発明の原稿読取装置のうちの第４の原稿読取装置は、画像が記録された原稿を載置する載置台と、この載置台に載置された原稿を１枚ずつ、この載置台に置かれた原稿がなくなるまで順次に送り出して自動搬送する搬送部と、この搬送部によって搬送された原稿を回収する回収台とを有する自動原稿搬送器を備えた開閉自在な上蓋と、上記上蓋により覆われる、上記自動原稿搬送器によって搬送されてきた原稿と対向する位置に備えられたコンタクトガラスと、上記コンタクトガラス下方から、このコンタクトガラスを経由して、このコンタクトガラス上方の読取位置を通過する原稿のこの読取位置を通過する領域に光を照射して反射光を受光することにより、この原稿上の画像を読み取る画像読取器と、上記コンタクトガラス上の、上記読取位置を避けた所定位置に固定された、コンタクトガラスの熱を放熱する放熱部材と、上記載置台から上記搬送部によって送り出され所定の搬送路に沿って搬送されて上記画像読取器によってこの原稿の画像が読み取られた後の原稿を、この原稿の表裏面を反転させて上記読取位置を通過させる反転搬送部と、上記搬送台上の原稿のうちの最後の原稿が送り出されたことを検出するセンサとを備え、上記搬送部および上記反転搬送部は、上記読取位置に向けて搬送してきた原稿を、この読取位置では上記コンタクトガラスとは非接触であって、このコンタクトガラス上に固定された上記放熱部材に接触させながらこの読取位置を通過させるものであって、上記反転搬送部が、上記載置台から送り出されてきた最後の原稿について、上記読取位置を、この載置台から、この最後の原稿よりも以前に送り出された原稿１枚当たりの、上記読取位置の通過回数よりも多数回通過させてから上記回収台に向けて搬送するものであることを特徴とする。
【００１６】
本発明の原稿読取装置のうちの第３の原稿読取装置および第４の原稿読取装置でも、コンタクトガラスの熱を、搬送されてくる原稿側に移すことでコンタクトガラスの温度上昇が抑制されており、また、例えば、第３の原稿読取装置または第４の原稿読取装置を画像形成装置に備えた場合には、読み取った原稿に基づく画像形成が終了するまで、即ちユーザによる次のジョブの実施が不能な間、反転搬送部が、読み取りが修了した最後の原稿によるコンタクトガラスからの熱移行動作を、最後の原稿よりも以前に送り出された原稿１枚当たりの熱移行動作よりも多数回行うことで生産性を低下させずにユーザの安全の確保を図ることができる。
【発明の効果】
【００１７】
本発明によれば、ユーザの安全を確保する工夫が図られた原稿読取装置を提供することができる。
【発明を実施するための最良の形態】
【００１８】
以下、本発明の実施形態について説明する。
【００１９】
図１は、本発明の第１の原稿読取装置の一実施形態と本発明の第３の原稿読取装置の一実施形態とを兼ねた実施形態を備えた複写機の概略構成図である。
【００２０】
図１に示す複写機１００は、１枚もしくは複数枚の原稿２００が載置される載置台２１、および、この載置台２１に載置された原稿を一枚ずつ送り出し、搬送路に沿って搬送する搬送部２２からなる自動原稿搬送器２０を有する上蓋２と、原稿２００の読取りを行う原稿読取部３１、原稿読取部３１からの原稿画像を表す画像信号を受信すると共に原稿読取部３１の動作を制御する制御部３２、自動原稿搬送器２によって搬送されてきた原稿と対向する位置に備えられたコンタクトガラス３４、および、コンタクトガラス３４に隣接して配備された、ユーザによって原稿が一枚ずつ載置されるプラテンガラス３３を有する画像読取器３とからなる原稿読取装置１を備えた、表裏面に画像が記録された原稿の読取りおよび記録用紙の表裏面への画像形成が可能な複写機である。
【００２１】
また、図１に示す複写機１００は、制御部３２で受信した画像信号に基づいた画像形成を、この原稿読取装置１の画像読取器３が収容されている筐体３０に共に収容された画像形成装置４に行わせる。尚、自動原稿読取器２０を備えた上蓋２は、筐体３０の上部に開閉自在に取りつけられており、原稿を搬送する搬送路にそって搬送された原稿は、上蓋２の上面の一部２ａに排出されるようになっている。
【００２２】
原稿読取部３１は、自動原稿搬送器２０によって搬送路に沿って搬送されてくる原稿２００がコンタクトガラス３４上を通過する際に、原稿に記録された画像を読み取るものであり、図１における手前側から奥側にかけて延在して配備され原稿に向けて露光光を照射する光源３１１と、原稿で反射してきた反射光を水平方向に向けさせるミラー３１３と、ミラー３１３によって水平方向に向けられた反射光の向きを逆向きにするミラーユニット３１４と、ミラーユニット３１４からの反射光を結像させるレンズ３１５と、レンズ３１５により結像された光像を受像し画像信号を出力する受像センサ３１６とで構成されている。
【００２３】
この複写機１００では、原稿２００をプラテンガラス３３上に１枚ずつ載置しての原稿の読取りを、原稿読取部３１の光源３１１やミラーユニット３１４等を筐体３０内で走査させて行ない、自動原稿搬送器２０により自動搬送されてくる原稿の読取りを、原稿読取部３１の光源３１１やミラーユニット３１４等を図１に示す状態に静止させたままで行う。尚、原稿読取部３１の構成要素の走査は、制御部３２によって制御されている。
【００２４】
画像形成部４は、感光体４１と、感光体４１の表面に、制御部３２で受信した画像信号に基づいた露光光を照射することでこの表面に静電潜像を形成する露光器４２と、感光体４１の表面に形成された静電潜像をトナーで現像する現像器４３と、記録用紙４００が収容された給紙トレイ４６から搬送されてきた記録用紙に感光体４１の表面に担持されたトナー像を転写する転写ロール４４と、記録用紙上に転写されたトナー像を記録用紙４００に定着させる定着器４５とで構成されている。尚、トナー像が定着された記録用紙は、筐体３０に取りつけられた排出トレイ３０１に排出されるようになっている。尚、図１に示す画像形成部４には、記録用紙を給紙トレイ４６から感光体４１に向けて搬送するための第１搬送路４０１と、定着器４５によるトナー像の定着を終えた記録用紙を、表裏面を反転させて再び感光体４１に向けて搬送するための第２搬送路４０２が備えられている。
【００２５】
図２は、上蓋に備えられた自動原稿搬送器の概略構成図である。
【００２６】
図２には、上蓋２に備えられた自動原稿搬送器２２が、載置台２１に載置された原稿２００を搬送路２２ａに送り出す送出ロール２２１と、表裏面に画像が記録された原稿の読取りの際に、搬送路２２ａに沿った搬送がなされ、両面の内の一方の面の読取りが終了した原稿のもう一方の面の画像を読み取るために原稿の表裏を反転するための反転搬送路２２ｂと、搬送路２２ａに沿った原稿の搬送を行う搬送ロール２２２と、原稿を上蓋２の一部２ａに排出する際と搬送路２２ａに沿った搬送を終えた原稿を反転搬送路２２ｂに引き込んで反転させる際とで正逆自在に駆動する駆動ロール２２３と、載置台２１の原稿の有無を検知するためのセンサ２２４とで構成されている様子が示されている。
【００２７】
また、図２には、コンタクトガラス３４を保持すると共に搬送路２２ａに沿って搬送されてくる原稿の、上蓋２の上面の一部２ａへの排出を補助するための搬送ガイド３６が示されている。
【００２８】
図３は、自動搬送器による原稿搬送の様子を示す図である。尚、ここに示されている部材は、搬送されてくる原稿が、図３における手前側から奥側にかけて延在するものであることに伴い、図３における手前側から奥側にかけて延在している。
【００２９】
図３には、図２に示す搬送路２２ａを形成する搬送カバー２２０が示されており、この搬送カバー２２０により形成された搬送路２２ａに沿って原稿が搬送されると、原稿２００のうち、コンタクトガラス３４の上方の一点鎖線で示す読取位置を通過した領域から順に原稿画像が読み取られる。
【００３０】
この複写機１００の、本実施形態の原稿読取装置１では、搬送されてくる原稿は上述の読取位置ではコンタクトガラス３４とは接触せず、原稿の搬送方向下流側の接触位置３４２でコンタクトガラス３４に接触しながら搬送される。これにより、コンタクトガラス上の、読取位置の直下の部分へのトナー等の付着による、読取画質の低下が防止されていると共に、コンタクトガラス３４の熱を原稿に移らせてコンタクトガラスの温度上昇を全体として抑制することができる。
【００３１】
ここで、この複写機１００の原稿読取装置１では、前述したように、両面に画像が記録された原稿の読取りのための反転搬送機能と、搬送台上の原稿のうちの最後の原稿が送り出されたことを検知するセンサ２２４とにより、現在搬送中の原稿が自動原稿搬送器２２により載置台２１から送り出されてきた最後の原稿であることを認識し、この最終の原稿の読取りが終了した時点で画像形成部４による複写動作が終了していない場合には、複写動作が終了するまでの間、搬送路２２ａと反転搬送路２２ｂとの間でこの最終の原稿を循環させ、接触位置３４２でコンタクトガラス３４に接触させることで、生産性を低下させずにコンタクトガラス３２からの熱取りを続けさせてユーザの安全の確保が図られている。
【００３２】
図４は、載置台に原稿が置かれて、複写の開始がユーザによって指示された際に、原稿読取装置の制御部で起動されるルーチンのフローチャートを示す図である。
【００３３】
図４に示すステップＳ１では、現在搬送中の原稿が最終原稿であるか否かをセンサ２２４からの信号に基づいて判定する。これは、前述したナジャーロールが駆動した後にセンサ２２４によって原稿が検知されているか否かにより判定される。ステップＳ１において、最終原稿ではないと判定されると、ステップＳ１を繰り返し、現在搬送中の原稿が最終原稿であると判定した場合には、ステップＳ２に進み、画像形成部４による画像形成動作が終了しているか否かを判定する。ステップＳ２において画像形成動作が終了していないと判定されると、ステップＳ３に進み、搬送路２２ａと反転搬送路２２ｂとの間で最終の原稿を循環させるように自動原稿搬送器２２に指示を出し、画像形成が終了するまでステップＳ２を繰り返し、画像形成が終了したと判定すると、ステップＳ４に進み、循環移動の中止を指示する。
【００３４】
次に、本発明の第２の原稿読取装置の一実施形態と、本発明の第４の原稿読取装置の一実施形態とを兼ねた実施形態を備えた複写機について説明する。
【００３５】
この複写機と、前述の複写器１００との相違点は、コンタクトガラス３４の周辺の構造であるので、以下では、その点に絞って説明する。尚、以下の図に示す部材で、図１および図２に示す部材と同じ種類の部材には、図１および図２において付されている符号と同じ符号が付されている。
【００３６】
図５は、コンタクトガラスの周辺を示す図である。
【００３７】
図５には、図２に示す搬送路２２ａを形成する搬送カバー３２０が示されており、この搬送カバー３２０により形成された搬送路２２ａに沿って、ここでは点線で示す原稿２００が搬送されると、原稿２００のうち、コンタクトガラスの上方の一点鎖線で示す読取位置を通過した領域から順に原稿画像が読み取られる。
【００３８】
複写機１では、読取位置よりも、原稿の搬送方向下流側の接触位置３４２でコンタクトガラス３４に接触していた原稿２００は、この複写機では、読取位置よりも、原稿の搬送方向上流側のコンタクトガラス上の部分に固定されたアルミ製の放熱部材３７に接触しながら、コンタクトガラス３４とは直接接触せずに搬送される。これにより、コンタクトガラス上の、読取位置の直下の部分へのトナー等の付着による読取画質の低下が防止されると共に、コンタクトガラス３４の熱を原稿に移らせてコンタクトガラス３４の温度上昇を全体として抑制することができる。また、この複写機でも、複写機１と同様に、読み取った原稿に基づく画像形成が終了するまで、即ちユーザが次のジョブの実施が不能な間は、最終原稿を通常の搬送路２２ａと反転搬送路２２ｂとの間で循環させることで上述のコンタクトガラス３４からの熱取り動作を続けさせ、生産性を低下させずにユーザの安全の確保が図られている。
【図面の簡単な説明】
【００３９】
【図１】本発明の第１の原稿読取装置の一実施形態と本発明の第３の原稿読取装置の一実施形態とを兼ねた実施形態を備えた複写機の概略構成図である。
【図２】上蓋に備えられた自動原稿搬送器の概略構成図である。
【図３】自動搬送器による原稿搬送の様子を示す図である。
【図４】載置台に原稿が置かれて、複写の開始がユーザによって指示された際に、原稿読取装置の制御部で起動されるルーチンのフローチャートを示す図である。
【図５】コンタクトガラスの周辺を示す図である。
【符号の説明】
【００４０】
１  原稿読取装置
２  上蓋
２０  自動原稿搬送器
２２４  センサ
３  画像読取器
３０  筐体
３１  原稿読取部
３１１  光源
３１３  ミラー
３１４  ミラーユニット
３１５  レンズ
３１６  受像センサ
３２  制御部
３３  プラテンガラス
３４  コンタクトガラス
３４２  接触位置
３６  搬送ガイド
【図１】
2007306503.tif 000003
【図２】
2007306503.tif 000004
【図３】
2007306503.tif 000005
【図４】
2007306503.tif 000006
【図５】
2007306503.tif 000007